(57)【要約】【課題】アンテナ装置の維持整備作業における運用停止時間を短縮するとともに費用を節減可能にするアンテナタワー構造を提供する。【解決手段】アンテナタワー１の頂部にはレドーム２が装備されており、レドーム２のアンテナタワー１の頂部との取り付け部に形成された円形状の開口部から、この開口部とほぼ同径のアンテナ設置床面（天板）５上に設置されたアンテナ装置３がレドーム２内に収納されて運用される。アンテナタワー１の中心部分には、アンテナ装置３が設置されている天板５を、アンテナタワー１の頂部と地上との間で昇降させる昇降装置４が装備されている。アンテナ装置３の運用を停止して機材の維持整備作業を行う場合には、昇降装置４により、アンテナ装置３を天板５と一緒に地上に降下させ、地上においてアンテナ装置３の維持整備作業を行う。【選択図】図１
2010004452.tif 000002
【特許請求の範囲】
【請求項１】
アンテナ装置が設置されるアンテナタワーにおいて、
前記アンテナタワーに、前記アンテナ装置を設置するアンテナ設置床面（天板）と、該アンテナ設置床面を該アンテナタワーの頂部と地上面との間で昇降可能にする昇降装置を備えたことを特徴とするアンテナタワー。
【請求項２】
前記アンテナタワーの頂部に、前記アンテナ装置が該アンテナタワー頂部に移動して設置されているときに該アンテナを覆うレドームが装備されていることを特徴とする請求項１に記載のアンテナタワー。
【請求項３】
前記昇降装置により前記アンテナ設置床面を地上に降下させた状態で、前記アンテナ装置の維持整備作業を可能にしたことを特徴とする請求項１または２に記載のアンテナタワー。
【請求項４】
前記アンテナ装置の運用時に、前記昇降装置により前記アンテナ設置床面を該アンテナタワー頂部に移動させ、前記アンテナ装置の非運用時に、前記昇降装置により前記アンテナ設置床面を地上に移動させる手段を有していることを特徴とする請求項１〜３の何れか１項に記載のアンテナタワー。
【請求項５】
前記アンテナ設置床面が前記アンテナタワーの頂部に位置しているときに、前記アンテナ設置床面を前記アンテナタワーの頂部に固定する手段を有していることを特徴とする請求項１〜４の何れか１項に記載のアンテナタワー。
【請求項６】
前記昇降装置は、前記アンテナ設置床面と接続されるとともに前記アンテナタワー頂部と地上に配置された滑車に架渡されて回動可能に張られたワイヤと、前記アンテナ装置の昇降指示に従って設定された回動方向に前記ワイヤを回動駆動するウィンチとによって構成されていることを特徴とする請求項１〜５の何れか１項に記載のアンテナタワー。
【請求項７】
前記昇降装置は、前記アンテナ設置床面と地上の間に設けられて伸縮することにより前記アンテナ設置床面を昇降させるクランク装置と、該クランク装置の伸縮を駆動する伸縮アーム及び駆動装置とによって構成されていることを特徴とする請求項１〜５の何れか１項に記載のアンテナタワー。
【請求項８】
前記昇降装置による前記アンテナ設置床面の昇降時の揺れを防止するためのガイドレールが設けられていることを特徴とする請求項１〜７の何れか１項に記載のアンテナタワー。
【発明の詳細な説明】
【技術分野】
【０００１】
本発明は、アンテナ装置が設置されるアンテナタワーの構成に関し、特に、レーダ等に使用されるレドーム付アンテナの設置に好適なアンテナタワーに関する。
【背景技術】
【０００２】
固定局で使用されるレーダ用アンテナ装置は、耐環境性、秘匿性等からレドーム内に収納され、鉄塔のような高層建築物の屋上に設置されて運用されることが多い。またその際、アンテナ装置に使用されている機材の点検や部品交換等の維持整備作業において生じるアンテナ装置の運用停止時間を短縮する事、および、その作業に要する費用を低減する事は重要な課題である。
【０００３】
図３〜図４は、アンテナ装置に使用されている機材の点検や部品交換等の維持整備作業を行う場合の従来の方法を示している。
【０００４】
図３の方法では、レドーム２を解体して屋外から大型のクレーン６によりアンテナ装置３の機材を搬入、搬出して維持整備作業が行われる。この方法の場合、レドームを解体する作業は工事規模の増大、天候による影響によりアンテナ装置の運用停止時間が増加するとともにその作業に要する費用の増大を招くという問題があり、大型のクレーン６を用意しなければならないという問題もある。
【０００５】
図４の方法では、レドーム２を解体せず、特設のホイストクレーン７を用いてアンテナ装置の機材８を、アンテナ装置が設置されている床面に設けた出入り口から搬入、搬出して維持整備作業が行われる。そのため、レドームを解体しなくても作業を行うことができる。
【０００６】
しかしこの方法の場合、アンテナタワー１頂部のアンテナ装置が設置されている床面に、アンテナ装置の機材８を搬入、搬出するための出入り口を設ける必要があり、また、搬入、搬出されるアンテナ装置の機材８の大きさはこの出入り口の大きさに制限されるため、大型のアンテナ装置機材の搬入、搬出ではレドームの解体が必要となる。
【０００７】
一方、特許文献１には、レドーム内への機材の搬入、搬出、アンテナ装置上部へ部品を持ち上げる際に、レドームを解体する必要がなく、また別にクレーンをレドーム内に設置しないでアンテナの維持整備作業を可能にするために、アンテナと、このアンテナのバランスを取るカウンタウェイトと、アンテナとカウンタウェイトを接続するカウンタウェイト支持構造体と、アンテナ、カウンタウェイト、カウンタウェイト支持構造体を支持する基底部と、この基底部に設けられ、カウンタウェイト、カウンタウェイト支持構造体、基底部４のいずれか任意の場所に配設されたワイヤ案内手段により案内されたワイヤを介して重量物を巻き上げるウィンチを備えた構成が記載されている。
【０００８】
また、特許文献２には、建屋の壁面に取付けられたアレイアンテナと、該アレイアンテナを覆うように建屋の壁面に取付けられたレドームと、該レドーム内あるいはレドーム外の上記建屋壁面であって、上記アレイアンテナの前面から外れた位置に設置された巻上機と、該巻上機から吊りロープにより吊り下げられ、上記アレイアンテナ面を昇降する整備用ゴンドラと、上記アレイアンテナの前面から外れた位置に設置され、上記整備用ゴンドラの昇降時に上記アレイアンテナ面を破損しないように上記整備用ゴンドラをガイドするゴンドラガイドを備えた構造とし、且つ、メンテナンス時にレドーム内へ出入り可能にする出入り口を建屋の壁面に設けることにより、壁面取付けアレイアンテナのメンテナンスにおいて、レドームを取外すことなくメンテナンス作業を可能にする構成が記載されている。
【０００９】
【特許文献１】特開２００１−１４４５１６号公報
【特許文献２】特開２００３−１６３５１８号公報
【発明の開示】
【発明が解決しようとする課題】
【００１０】
上記図４に示す維持整備作業方法あるいは特許文献１〜２に記載の方法によれば、レドームを取外すことなくアンテナのメンテナンス作業が可能となる。しかし、メンテナンス作業のために搬入、搬出される機材の大きさはアンテナ取付け部への出入り口の大きさによって制限されるため、大型のアンテナ装置機材の搬入、搬出は困難であり、また、そのような大型のアンテナ装置機材をアンテナ取付け部へ搬入、搬出しなければならない場合には、レドームの解体が必要となる。
【００１１】
さらに、上記従来のアンテナのメンテナンス作業は、いずれも高所作業を伴うために危険度が高い作業であって、作業員の安全管理上の問題もある。
【００１２】
本発明の目的は、上述した課題を解決することが可能な、アンテナ設置用タワーの構成を提供することにある。
【課題を解決するための手段】
【００１３】
本発明は、アンテナ装置が設置されるアンテナタワーにおいて、前記アンテナタワーに、前記アンテナ装置を設置するアンテナ設置床面（天板）と、該アンテナ設置床面を該アンテナタワーの頂部と地上面との間で昇降可能にする昇降装置を備えたことを特徴とする。
【発明の効果】
【００１４】
本発明のアンテナタワーでは、アンテナ装置全体をアンテナタワーの頂部と地上との間で昇降可能にしているので、アンテナ機材の組み立て、維持整備、解体等の作業を地上で行うことが可能となり、高所作業による危険性を回避することができる。
【００１５】
また、運用時にアンテナ装置がレドーム内に収容されていても、アンテナ装置の維持整備作業時にアンテナ装置全体をレドーム外へ移動させ、かつ地上に降ろして作業することができるので、アンテナ装置の維持整備作業に伴う大型機材の搬入、搬出の必要性が生じた場合にも、大型クレーンの使用あるいはレドームを解体することなく対応することができる。
【００１６】
また、アンテナ装置の維持整備作業時に、レドームを解体する必要がないので、維持整備作業に要する時間の短縮、および維持整備作業に要する費用の節減を図ることができる。
【発明を実施するための最良の形態】
【００１７】
図１は、本発明の実施形態を示すアンテナタワーの概略斜視図であり、図１(ａ)はアンテナ装置が運用されている状態を示しており、図１(ｂ)はアンテナ装置の運用を停止してアンテナ装置の維持整備作業を行うために、アンテナ設置床面をアンテナタワーの頂部から地上に降ろした状態を示している。
【００１８】
本実施形態のアンテナタワー１の頂部にはレドーム２が装備されており、このレドーム２のアンテナタワー１の頂部との取り付け部に形成された円形状の開口部とほぼ同径のアンテナ設置床面（天板）５が設けられている。アンテナ装置３をこの天板５上に搭載設置した状態でレドーム２内に収容すると、上記円形状の開口部は天板５によって塞がれた状態となる（図１(ａ)）。
【００１９】
アンテナタワー１の中心部分には、アンテナ装置３が搭載設置されている天板５を、アンテナタワー１の頂部と地上面との間で昇降させる昇降装置４が装備されている。アンテナ装置３の運用を停止して機材の維持整備作業を行う場合には、この昇降装置４により、アンテナ装置３を天板５と一緒に地上に降下させ、地上においてアンテナ装置３の維持整備作業を行うことを可能にしている（図１(ｂ)）。
【００２０】
図２は、本実施形態におけるアンテナ設置床面（天板）５を昇降する昇降装置４の異なる２つの実施例について、それぞれ横から観た概略図を示しており、図２(ａ)は、ワイヤとウィンチにより天板５を上下させる方式を用いた昇降装置を示し、図２(ｂ)は、クランク機構、伸縮アーム、および駆動装置を用いて天板５を上下させる方式用いた昇降装置を示している。
【００２１】
図２(ａ)に示すワイヤとウィンチにより天板５を上下させる昇降装置では、アンテナ３が搭載設置された天板５を上下させるワイヤ４-３が、アンテナタワー１の頂部および地上側に配置された滑車４-４に架渡されており、また、天板５の上下移動時の揺れを防止するためのガイドレール４-１と重量の均衡を保たせるためのバランスウェイト４-５が装備されている。ウィンチ４-２を駆動して、ワイヤ４-３を一方向、又は他方向に回動させることにより、天板５をアンテナタワー１の頂部と地上の間で昇降させる機構となっている。
【００２２】
図２(ｂ)に示すクランク機構、伸縮アーム、駆動装置を用いて天板５を上下させる昇降装置では、アンテナ装置３が搭載設置された天板５を上下させるクランク装置４-８が、天板５の下面と地上の間に設けられており、このクランク装置４-８を、駆動装置４-６と伸縮アーム４-７を用いて伸縮させることにより天板５を昇降させる機構となっている。またこの場合も、天板５の上下移動時の揺れを防止するためのガイドレール４-１が設けられている。
【００２３】
次に、本実施形態のアンテナタワーへの昇降装置組み込み、アンテナ設置及びメンテナンス動作について、図１〜図２を参照して説明する。
【００２４】
アンテナタワー１の外部骨格の組み立て完了後に、図２に示す昇降装置４を構成する各部材を組み込む。また、アンテナタワー１の頂部にレドーム２を取り付ける。次に、昇降装置４により天板５を地上面まで降下させた状態で、アンテナ装置３を天板５上に設置した後、あるいは地上まで降下させた天板５上でアンテナ装置３を組み立て設置した後、昇降装置４により天板５をアンテナタワー１の頂部まで上昇させてアンテナ装置３をレドーム２内に収容する。この状態で天板５をアンテナタワー１の頂部に、適宜の固定手段で固定する（図１(ａ)）。アンテナ装置３はこの状態で運用される。
【００２５】
その後、アンテナ装置３の維持整備作業を行う必要が生じた場合には、アンテナ装置３の運用を停止し、アンテナ装置３が設置されている天板５の固定を解除して、昇降装置４により天板５を地上まで降下させ（図１(ｂ)）、地上においてアンテナ装置３の維持整備作業を行う。その際、アンテナ装置３の維持整備作業のためのアンテナ機材は、アンテナタワー１の地上側に設けられた大きな出入り口を利用して搬入、搬出することができる。
【００２６】
アンテナ装置３の維持整備作業が完了後、再度運用する際には、昇降装置４によりアンテナ装置３が設置された天板５をアンテナタワー１の頂部まで上昇させ、天板５をアンテナタワー１の頂部に固定すればアンテナ装置３はレドーム２内に収容された状態となり、運用可能となる。
【００２７】
アンテナ装置３がアンテナタワー１の頂部に位置して運用可能状態のときには、アンテナ装置３が搭載設置されている天板５を、アンテナタワー１の頂部に固定する手段を設けることにより、運用中におけるアンテナ装置３の安定性を高めることができる。固定手段としては、例えば、天板５が上昇して、アンテナタワー１の頂部に位置したことを検出して自動的に固定し、解除指示に従って固定を自動解除する任意の手段により実現可能である。
【００２８】
本実施形態では、アンテナ装置３全体を昇降させることにより、アンテナタワー１の頂部に設けられたレドームに収容して運用、あるいは地上においてアンテナ装置３の維持整備作業を行うことが可能であるため、レドームの解体作業を行わなくても大型機材の搬入、搬出が可能となる。さらに、機材の組み立て、解体等の作業を地上で行うことが可能となり高所作業での危険性が回避される。
【００２９】
また、本実施形態によれば、アンテナ装置３の維持整備作業時に、レドームを解体する必要がないので、維持整備作業に要する時間の短縮と、維持整備作業に要する費用の節減を図ることができる。
【００３０】
なお上記実施形態では、アンテナタワー１の頂部にレドームが装備されている場合について説明したが、本発明は、レドームが装備されていないアンテナタワーにも適用することができる。
【００３１】
その場合も、アンテナ機材の搬入、搬出は地上で行うことができるので、アンテナ機材をアンテナタワー１の頂部まで持ち上げるための大型クレーン等を用いなくて済み、また、維持整備作業も地上で行うことが可能となるので、高所作業での危険性を回避する効果が得られる。
【００３２】
さらに、レドームが装備されていないアンテナタワーにおいて、アンテナ装置を非運用時は地上に移動してアンテナタワー内部に格納し、運用時はアンテナ設置床面（天板）５をアンテナタワー頂部に移動することにより、耐環境性、秘匿性等の効果を得ることも可能である。
【図面の簡単な説明】
【００３３】
【図１】本発明の実施形態を示すアンテナタワーの概略斜視図である。
【図２】本実施形態におけるアンテナ昇降装置を横から観た概略図である。
【図３】アンテナの維持整備作業を行う際の従来技術を説明する図である。
【図４】アンテナの維持整備作業を行う際の他の従来技術を説明する図である。
【符号の説明】
【００３４】
１  アンテナタワー
２  レドーム
３  アンテナ装置
４  昇降装置
４−１  ガイドレール
４−２  ウィンチ
４−３  ワイヤ
４−４  滑車
４−５  バランスウェイト
４−６  駆動装置
４−７  伸縮アーム
４−８  クランク装置
５  アンテナ設置床面（天板）
６  クレーン
７  ホイストクレーン
８  アンテナ機材
【図１】
2010004452.tif 000003
【図２】
2010004452.tif 000004
【図３】
2010004452.tif 000005
【図４】
2010004452.tif 000006